(57)【要約】【課題】情報を迅速かつ確実に消去可能な携帯情報機器を提供する。【解決手段】機器本体１と、使用時に機器本体１に装着される付帯物２と、機器本体１の付帯物２が装着される部分に設けられ、磁性体の磁化状態により情報を保持する固体磁気メモリ３と、付帯物２を機器本体１に装着したときに固体磁気メモリ３に対向する部分を含む付帯物２に設けられた、磁気シールド４とを含む携帯情報機器を構成する。【選択図】図１
2012008760.tif 000002
【特許請求の範囲】
【請求項１】
機器本体と、
使用時に前記機器本体に装着される付帯物と、
前記機器本体の前記付帯物が装着される部分に設けられ、磁性体の磁化状態により情報を保持する固体磁気メモリと、
前記付帯物を前記機器本体に装着したときに前記固体磁気メモリに対向する部分を含む前記付帯物に設けられた、磁気シールドとを含む
携帯情報機器。
【請求項２】
前記付帯物が前記機器本体に電源を供給するバッテリーであり、前記バッテリーの部材に前記磁気シールドが設けられている、請求項１に記載の携帯情報機器。
【請求項３】
前記付帯物がカード及び前記カードを保持するカードホルダーであり、前記カードホルダーが軟磁性体から成り前記磁気シールドを構成する、請求項１に記載の携帯情報機器。
【発明の詳細な説明】
【技術分野】
【０００１】
本発明は、携帯電話やノートパソコン等の携帯情報機器に係わり、内部のメモリに情報を記録することが可能であり、磁性体の磁化状態によって情報を保持する記憶素子をメモリに使用した携帯情報機器に係わる。
【背景技術】
【０００２】
携帯電話やノートパソコン等、携帯情報機器は広く普及しているが、その中には機密情報や個人情報等の重要な情報が多く含まれている。
それらの携帯情報機器を、廃棄、或いは中古として販売、もしくは、レンタルとして貸し出す場合には、機密情報や個人情報を消去する必要がある。
【０００３】
情報を消去する方法としては、情報消去のためのプログラムを実行して、情報を全て上書きする等の方法が行われている（例えば、非特許文献１を参照）。
【先行技術文献】
【非特許文献】
【０００４】
【非特許文献１】「携帯電話データ消去ソフトのご案内」、[online]、エコケー株式会社、［平成２２年６月２４日検索］、インターネット＜ＵＲＬ：http://ecok.co.jp/service/typeR.ppt#256,1＞
【発明の概要】
【発明が解決しようとする課題】
【０００５】
しかしながら、近年携帯情報機器の記録容量が増加しているため、プログラムによって情報を上書きする方法では、情報の消去に長い時間がかかる。
【０００６】
また、近年使用されるようになった、フラッシュメモリをハードディスクの代わりとして使用するＳＳＤ（Solid State Drive）では、記録メモリに直接アクセスできないため、完全に消去されているのかを確認できない。
【０００７】
さらにまた、携帯情報機器が故障等で、通電や起動ができない場合には、情報の消去は不可能である。
【０００８】
上述した問題の解決のために、本発明においては、情報を迅速かつ確実に消去可能な携帯情報機器を提供するものである。
【課題を解決するための手段】
【０００９】
本発明の携帯情報機器は、機器本体と、使用時に機器本体に装着される付帯物と、機器本体の付帯物が装着される部分に設けられ、磁性体の磁化状態により情報を保持する固体磁気メモリとを含む。
さらに、付帯物を機器本体に装着したときに固体磁気メモリに対向する部分を含む付帯物に設けられた、磁気シールドとを含む。
【００１０】
上述の本発明の携帯情報機器の構成によれば、固体磁気メモリが機器本体の付帯物が装着される部分に設けられ、付帯物の装着したときに固体磁気メモリに対向する部分を含む付帯物に磁気シールドが設けられている。
これにより、機器の使用時に付帯物を装着すると、機器本体の固体磁気メモリに対向して磁気シールドが配置されることになり、固体磁気メモリに記録された情報が外部磁界で消去されることがないように、磁気シールドで保護することが可能になる。
また、付帯物を機器本体から取り出すと、固体磁気メモリが磁気シールドで保護されなくなるので、磁界を加えて、容易に短時間で、固体磁気メモリの情報を消去することができる。
【発明の効果】
【００１１】
上述の本発明によれば、容易に短時間で、固体磁気メモリの情報を消去することができるので、機密情報や個人情報等の消去を迅速確実に行うことが可能になる。
また、磁界を加えて、通電することなく容易に情報の消去を行うことができるので、通電や起動ができない場合でも情報を消去することが可能になる。
【００１２】
従って、本発明により、携帯情報機器の廃棄や再利用の際の機密情報や個人情報の消去の労力が低減できる。
【図面の簡単な説明】
【００１３】
【図１】Ａ〜Ｃ  本発明の第１の実施の形態の携帯情報端末の概略構成図である。
【図２】Ａ〜Ｃ  本発明の第１の実施の形態の携帯情報端末の情報の消去方法の一形態を説明する図である。
【図３】本発明の第１の実施の形態の携帯情報端末の情報の消去方法の他の形態を説明する図である。
【図４】Ａ、Ｂ  本発明の第２の実施の形態の携帯情報端末の概略構成図である。
【図５】Ｃ、Ｄ  本発明の第２の実施の形態の携帯情報端末の概略構成図である。
【発明を実施するための形態】
【００１４】
以下、発明を実施するための最良の形態（以下、実施の形態とする）について説明する。
なお、説明は以下の順序で行う。
１．本発明の概要
２．第１の実施の形態
３．第２の実施の形態
【００１５】
＜１．本発明の概要＞
上述した目的を達成するために、検討を重ねた結果、ＭＲＡＭ等の固体磁気メモリを用いて情報を記録して、外部磁場によって固体磁気メモリの内容を消去すれば、迅速かつ確実に情報を消去できることを見出した。
【００１６】
本発明では、情報携帯機器において、機密情報や個人情報等の情報を記録するメモリとして、ＭＲＡＭ等の固体磁気メモリを使用する。
固体磁気メモリは、単独で使用してもよい。
また、固体磁気メモリ単独では容量が不十分な場合には、前述した重要な情報を暗号化して、フラッシュメモリ等の大容量メモリに記録して、その暗号キーのみを固体磁気メモリに記録してもよい。
【００１７】
現在市販されているＭＲＡＭは、外部磁場に対して十分な耐性を確保するために、磁気シールドをメモリパッケージに内蔵している。
これに対して、磁気シールドのない、或いは、磁気シールドの効果を弱めて用いれば、磁気メモリ内の情報を、容易な方法で生成できる外部磁場によって、容易に消去することが可能である。
しかしながら、磁気シールドの効果が弱い状態では、通常の使用に支障をきたすため、何らかの方法で、磁気のシールドを行う必要がある。
【００１８】
そこで、磁気シールドを、通常の使用では取り外すことのない、バッテリーや携帯電話の加入者識別用のＳＩＭカード（Subscriber Identity Module Card）等の付帯物に付加すればよい。
或いは、それら付帯物を装着する際に、磁気メモリ上に磁気シールド部分が移動して、シールド効果を発揮するような機構を有すればよい。
【００１９】
磁気シールドの材料としては、軟磁性で飽和磁束密度が大きい、ＮｉＦｅ合金やＣｏＦｅ合金、或いは、非晶質合金等が適している。
磁気シールドをバッテリー等の付帯物と別に具備しても良いし、バッテリー等の付帯物の容器を軟磁性材料で構成して磁気シールドとしても良い。
【００２０】
しかし、ＳＩＭカード等の小さなものには、磁気シールドを付けるのは難しい。
また、ＳＩＭカード等の場合、機器間の互換性を確保する必要がある。
従って、ＳＩＭカードに直接磁気シールドを付けるよりも、ＳＩＭカードを装着する際に使用するホルダーを軟磁性体で構成して磁気シールドとするのが適している。
【００２１】
上述したことから、本発明では、機器本体と、使用時に機器本体に装着される付帯物とから成る携帯情報機器において、機器本体の付帯物が装着される部分に、磁性体の磁化状態により情報を保持する固体磁気メモリを設ける。
さらに、付帯物の、機器本体に装着したときに固体磁気メモリに対向する部分を含んで、磁気シールドを設ける。磁気シールドは、固体磁気メモリに対向する部分のみに形成されていても良く、固体磁気メモリに対向する部分と他の部分にわたって形成されていても良く、付帯物全体にわたって形成されていてもよい。
【００２２】
例えば、前記付帯物を、機器本体に電源を供給するバッテリーとして、このバッテリーの部材に磁気シールドを設けることができる。
また例えば、前記付帯物を、機器本体に装着する、カード及びこのカードを保持するカードホルダーとして、カードホルダーを軟磁性体で形成して磁気シールドを構成することができる。カードとしては、前述したＳＩＭカード等が挙げられる。
【００２３】
本発明の携帯情報機器の情報の消去は、以下のような方法によって行うことができる。
まず、携帯情報機器から、磁気シールドを具備する付帯物、例えば、バッテリーを取り外す。
その後、固体磁気メモリの情報を消去するのに十分な強度の磁場を発生する機器を用いて、固体磁気メモリを磁場に暴露する。
これにより、固定磁気メモリに記録された情報が消去される。
【００２４】
情報の消去のための磁場は、固体磁気メモリ以外の部分に余分な磁場がかからないように、磁気ヨークで磁場を集中させられるものが適している。
また、磁場の発生源は、永久磁石でも良いし、電磁石でも良い。
【００２５】
本発明の携帯情報機器では、機器の使用時には、付帯物を機器本体に装着するので、機器本体の固定磁気メモリに対向して磁気シールドが配置され、固体磁気メモリに記録された情報を磁気シールドで保護することが可能になる。
また、情報を消去する際には、付帯物を機器本体から取り出せば、固体磁気メモリが磁気シールドで保護されなくなる。これにより、磁界を加えて、容易に短時間で、固体磁気メモリの情報を消去することができる。
【００２６】
容易に短時間で、固体磁気メモリの情報を消去することができるので、機密情報や個人情報等の消去を迅速確実に行うことが可能になる。
また、磁界を加えて、通電することなく容易に情報の消去を行うことができるので、通電や起動ができない場合でも情報を消去することが可能になる。
従って、本発明の携帯情報機器により、携帯情報機器の廃棄や再利用の際の機密情報や個人情報の消去の労力が低減できる。
【００２７】
＜２．第１の実施の形態＞
続いて、本発明の具体的な実施の形態を説明する。
本発明の第１の実施の形態として、携帯情報端末の概略構成図を、図１Ａ〜図１Ｃに示す。
図１Ａは、携帯情報端末本体とバッテリーとを分離した状態の斜視図であり、図１Ｂは、バッテリーを携帯情報端末本体に装着した状態の斜視図であり、図１Ｃは図１Ｂの状態の断面図である。
【００２８】
図１Ａに示すように、携帯情報端末本体１には、バッテリー２を装着するための空間である凹部１Ａを有している。
そして、この凹部１Ａの底面に、固体磁気メモリ３が埋め込まれて形成されている。
【００２９】
一方、バッテリー２の底面に、磁気シールド４が形成されている。
そして、この磁気シールド４は、図１Ｂに示すようにバッテリー２を携帯情報端末本体に装着したときに、固定磁気メモリ３の上を磁気シールド４が完全に覆うように、バッテリー２の底面に形成されている。
これにより、図１Ａに示すバッテリー２を分離した状態から、図１Ｂに示すようにバッテリーを装着すると、磁気シールド４が固体磁気メモリ３に接近した状態で固体磁気メモリの上を覆うので、固体磁気メモリ３にかかる外部磁場を低減することができる。
【００３０】
本実施の形態の携帯情報端末において、情報の消去は、例えば、以下に説明するようにして行うことができる。
【００３１】
まず、情報の消去方法の一形態を、図２Ａ〜図２Ｃを参照して説明する。
図２Ａは、携帯情報端末からバッテリーを取り外した携帯情報端末本体１と、情報消去装置１０とを並べて示した斜視図である。
情報消去装置１０は、直方体形状の部材の上に、永久磁石１１が取り付けられ、この永久磁石１１の図中手前側及び奥側の端部から、直方体形状の部材の内部を通って、部材の底面に向けて、永久磁石１０の磁束を集める磁気ヨーク１２が形成されている。
情報消去装置１０の直方体形状の部材は、携帯情報端末本体１のバッテリーを装着するための凹部に装着できるような寸法となっている。
【００３２】
この情報消去装置１０を携帯情報端末本体１に装着した状態の斜視図を図２Ｂに示し、図２Ｂの固体磁気メモリ３を含む断面図を図２Ｃに示す。
情報消去装置１０を携帯情報端末本体１に装着した状態では、磁気ヨーク１２が携帯情報端末本体１の固体磁気メモリ３の端部付近にまで伸びている。これにより、磁気ヨーク１２から発生する磁場を、効率良く固体磁気メモリ３に印加して、固体磁気メモリ３の情報を消去することができる。
【００３３】
また、情報の消去方法の他の形態として、他の構成の情報消去装置２０を用いて、携帯情報端末本体１に情報消去装置２０を装着した状態の断面図を、図３に示す。
図３に示す情報消去装置２０では、携帯情報端末本体１に装着するための部材の底面に、永久磁石２１が設けられている。
これにより、情報消去装置２０を携帯情報端末本体１に装着したときには、固体磁気メモリ３に接近して、永久磁石２１が配置されるので、永久磁石２１からの磁場を効率良く固体磁気メモリ３に印加して、固体磁気メモリ３の情報を消去することができる。
【００３４】
上述の本実施の形態の携帯情報端末の構成によれば、携帯情報端末本体１のバッテリー２が装着される部分に固体磁気メモリ３が設けられ、バッテリー２の装着時に固体磁気メモリ３に対向する部分に、磁気シールド４が設けられている。
これにより、携帯情報端末の使用時には、バッテリー２を携帯情報端末本体１に装着するので、固体磁気メモリ３に対向して磁気シールド４が配置され、固体磁気メモリ３に記録された情報を磁気シールド４で保護することができる。
また、バッテリー２を携帯情報端末本体１から取り出せば、固体磁気メモリ３が磁気シールド４で保護されなくなるので、情報消去装置１０，２０等により磁界を加えて、容易に短時間で、固体磁気メモリ３の情報を消去することができる。
【００３５】
即ち、本実施の形態の携帯情報端末によれば、機密情報や個人情報等の消去を迅速確実に行うことが可能になる。
また、磁界を加えて、通電することなく容易に情報の消去を行うことができるので、通電や起動ができない場合でも情報を消去することが可能になる。
従って、携帯情報端末の廃棄や再利用の際の機密情報や個人情報の消去の労力が低減できる。
【００３６】
＜３．第２の実施の形態＞
本発明の第２の実施の形態として、携帯情報端末の概略構成図を、図４Ａ〜図５Ｄに示す。
本実施の形態の携帯情報端末は、ＳＩＭカードのホルダーに磁気シールド機能を持たせた構成である。
【００３７】
まず、図４Ａは、ＳＩＭカード３４を軟磁性体で作られたカードホルダー３３から取り出した状態の斜視図を示している。
携帯端末本体３１の内部に、カードホルダー３３とＳＩＭカード３４とを差し込むための空間が形成されており、この空間の底面に、固体磁気メモリ３２が形成されている。
図４Ａに示す状態では、固体磁気メモリ３２とシールド機能を有するカードホルダー３３とが分離しているので、固体磁気メモリ３２に対してカードホルダー３３の磁気シールド効果はほとんど生じない。そのため、外部磁場によって、容易に固体磁気メモリ３２の情報を消去することができる。
【００３８】
次に、図４Ｂは、カードホルダー３３にＳＩＭカード３４を載せた状態の斜視図を示している。
このようにカードホルダー３３にＳＩＭカード３４を載せた状態から、カードホルダー３３を携帯端末本体３１の空間に挿入することにより、ＳＩＭカード３４を携帯端末本体に装着することができる。
【００３９】
そして、図５Ｃは、カードホルダー３３を挿入して、ＳＩＭカード３４を使用できるようにした状態の斜視図を示している。また、図５Ｄは、図５Ｃの状態の固体磁気メモリ３２の部分の断面図を示している。
図５Ｃ及び図５Ｄに示すように、携帯情報端末本体３１の空間内に、カードホルダー３３とＳＩＭカード３４が挿入されており、ＳＩＭカード３４が使用可能になっている。
そして、軟磁性体で作られたカードホルダー３３が、固体磁気メモリ３２の上に接近して配置されている。これにより、カードホルダー３３の磁気シールド効果によって、固体磁気メモリ３２の情報が消去されないように、保護することができる。
【００４０】
上述の本実施の形態の携帯情報端末の構成によれば、携帯情報端末本体３１のＳＩＭカード３３及びカードホルダー３４が装着される部分に固体磁気メモリ３２が設けられている。
そして、カードホルダー３４が軟磁性体からなり、磁気シールドを構成し、ＳＩＭカード３３及びカードホルダー３４の装着時に固体磁気メモリ３２にカードホルダー３４が対向する。
これにより、携帯情報端末の使用時には、ＳＩＭカード３３及びカードホルダー３４を携帯情報端末本体３１に装着するので、固体磁気メモリ３２に対向して磁気シールドとなるカードホルダー３４が配置される。そして、固体磁気メモリ３２に記録された情報をカードホルダー３４で保護することができる。
また、ＳＩＭカード３３及びカードホルダー３４を携帯情報端末本体３１から取り出せば、固体磁気メモリ３３がカードホルダー３４による磁気シールドで保護されなくなる。そして、磁界を加えて、容易に短時間で、固体磁気メモリ３２の情報を消去することができる。
【００４１】
即ち、本実施の形態の携帯情報端末によれば、機密情報や個人情報等の消去を迅速確実に行うことが可能になる。
また、磁界を加えて、通電することなく容易に情報の消去を行うことができるので、通電や起動ができない場合でも情報を消去することが可能になる。
従って、携帯情報端末の廃棄や再利用の際の機密情報や個人情報の消去の労力が低減できる。
【００４２】
本発明は、上述の実施の形態に限定されるものではなく、本発明の要旨を逸脱しない範囲でその他様々な構成が取り得る。
【符号の説明】
【００４３】
１，３１  携帯端末本体、２  バッテリー、３，３２  固体磁気メモリ、４  磁気シールド、１０，２０  情報消去装置、１１，２１  永久磁石、１２  磁気ヨーク、３３  ＳＩＭカード、３４  カードホルダー
【図１】
2012008760.tif 000003
【図２】
2012008760.tif 000004
【図３】
2012008760.tif 000005
【図４】
2012008760.tif 000006
【図５】
2012008760.tif 000007